(57)【要約】【課題】スマートフォン等の厚さが薄い電子機器に搭載可能な薄型の撮像素子への給電装置、この給電装置を搭載したカメラ装置及び電子機器を提供すること【解決手段】  矩形状の撮像素子が基板に実装されている撮像素子組立体と、屈曲及び／又は湾曲可能で前記撮像素子に給電する回路基板と、を備え、前記回路基板は、前記撮像素子の一組の対向する二辺が存在している側にそれぞれ設けられ、前記撮像素子組立体に接続される第一接続部と、前記第一接続部から延伸している連結部と、前記連結部の延伸方向の一方の端部に設けられている第二接続部と、を備え、前記第一接続部と前記連結部の境界部で前記撮像素子組立体の高さ方向に屈曲し、前記連結部は、その延伸方向に交差する方向へ屈曲又は湾曲する撮像素子への給電装置。【選択図】図２
2020060727.tif 000002
【特許請求の範囲】
【請求項１】
矩形状の撮像素子が基板に実装されている撮像素子組立体と、屈曲及び／又は湾曲可能で前記撮像素子に給電する回路基板と、を備え、
前記回路基板は、
前記撮像素子の一組の対向する二辺が存在している側にそれぞれ設けられ、
前記撮像素子組立体に接続される第一接続部と、前記第一接続部から延伸している連結部と、前記連結部の延伸方向の一方の端部に設けられている第二接続部と、を備え、
前記第一接続部と前記連結部の境界部で前記撮像素子組立体の高さ方向に屈曲し、前記連結部は、その延伸方向に交差する方向へ屈曲又は湾曲する
撮像素子への給電装置。
【請求項２】
前記撮像素子の他の一組の対向する二辺が存在している側にそれぞれ設けられる前記回路基板を更に備えている
請求項１記載の撮像素子への給電装置。
【請求項３】
前記境界部は、前記連結部が延伸する方向と平行に設けられた請求項１又は２記載の撮像素子への給電装置。
【請求項４】
前記連結部は、前記境界部が前記連結部の延伸方向の中間に位置するように延伸し、前記連結部の前記延伸方向の両端にそれぞれ前記第二接続部が配備されている請求項３記載の撮像素子への給電装置。
【請求項５】
前記境界部は、前記連結部が延伸する方向と直角に設けられた請求項１又は２記載の撮像素子への給電装置。
【請求項６】
前記境界部は、前記第一接続部の幅方向の両端にそれぞれ設けられた請求項５記載の撮像素子への給電装置。
【請求項７】
前記連結部には、その延伸する方向に切込みが設けられている請求項１又は２記載の撮像素子への給電装置。
【請求項８】
前記第二接続部は、前記撮像素子組立体の前記撮像素子が実装されている面とは反対側の面に対向して設けられた請求項１又は２記載の撮像素子への給電装置。
【請求項９】
前記第二接続部は、前記撮像素子組立体に対して外側から囲む内側を向いた面に向いている請求項１又は２記載の撮像素子への給電装置。
【請求項１０】
前記第二接続部は、前記撮像素子組立体の外側に位置している前記撮像素子組立体と平行な面に向いている請求項１又は２記載の撮像素子への給電装置。
【請求項１１】
請求項１又２記載の撮像素子への給電装置を備えたカメラ装置。
【請求項１２】
請求項１１記載のカメラ装置を備えた電子機器。
【発明の詳細な説明】
【技術分野】
【０００１】
本発明は、カメラ装置や、このカメラ装置を搭載したスマートフォンなどの電子機器に搭載される撮像素子への給電装置に関する。
【背景技術】
【０００２】
画像データを生成する撮像素子に被写体像を結像させて被写体の画像を撮影することに用いられるカメラ装置が従来から知られている。このような従来公知のカメラ装置において、手振れなどによる被写体像の移動に撮像素子を追従させることで、手振れが補正された被写体の画像を撮影できるようにする手振れ補正機能が設けられたカメラ装置も従来公知である。
【０００３】
カメラ装置における手振れ補正を実現する方式として、撮像素子を光の入射方向と直交する方向に移動させるセンサーシフト方式がある。この方式は、手振れなどによる被写体像の移動に撮像素子を追従させるものである。センサーシフト方式による手振れ補正機構として、例えば、特許文献１には、撮像素子を載置する載置ステージと、永久磁石が配置されたＸ方向ステージと、永久磁石に対向してコイルが配置されたＹ方向ステージとを備えたものが記載されている。Ｘ方向ステージは、カメラ本体に固定され、Ｘ方向とＹ方向はコイルと磁石を用いたアクチュエータで駆動される。この手振れ補正機構では撮像素子が基板に実装されている撮像素子組立体と、カメラ装置における固定部との間をＦＰＣ（Ｆｌｅｘｉｂｌｅ  Ｐｒｉｎｔｅｄ  Ｃｉｒｃｕｉｔｓ）を介して電気的に接続する給電機構が採用されている。このＦＰＣは、撮像素子の移動に支障がないように、折り曲げて重ねて、Ｚ方向に延伸させている。
【先行技術文献】
【特許文献】
【０００４】
【特許文献１】特開２００７−１１４４８５号公報
【発明の概要】
【発明が解決しようとする課題】
【０００５】
特許文献１が開示している構造で採用している給電機構は、通常のデジタルカメラに用いられる構造であり、曲げて重ねられたＦＰＣがＺ方向に延伸しているので、Ｚ軸方向の厚さが厚い。そのため、スマートフォン等のような厚さが薄く、強固に製造することが困難な電子機器に搭載されるカメラ装置に適用することが困難であった。
【０００６】
本発明は、上記従来の課題を解決するもので、スマートフォン等の厚さが薄い電子機器に搭載可能な薄型の撮像素子への給電装置、この給電装置を搭載したカメラ装置及び電子機器を提供することを目的とする。
【課題を解決するための手段】
【０００７】
請求項１の発明は、
矩形状の撮像素子が基板に実装されている撮像素子組立体と、屈曲及び／又は湾曲可能で前記撮像素子に給電する回路基板と、を備え、
前記回路基板は、
前記撮像素子の一組の対向する二辺が存在している側にそれぞれ設けられ、
前記撮像素子組立体に接続される第一接続部と、前記第一接続部から延伸している連結部と、前記連結部の延伸方向の一方の端部に設けられている第二接続部と、を備え、
前記第一接続部と前記連結部の境界部で前記撮像素子組立体の高さ方向に屈曲し、前記連結部は、その延伸方向に交差する方向へ屈曲又は湾曲する
撮像素子への給電装置である。
【発明の効果】
【０００８】
この発明によれば、スマートフォン等の厚さが薄い電子機器に搭載可能な薄型の撮像素子への給電装置、この給電装置を搭載したカメラ装置及び電子機器を提供することができる。
【図面の簡単な説明】
【０００９】
【図１】（ａ）〜（ｄ）は、本発明の第一実施形態の一例を表す図である。
【図２】図１図示の給電装置の斜視図である。
【図３】（ａ）〜（ｃ）は、本発明の第二実施形態の一例を表す図である。
【図４】図３図示の給電装置の斜視図である。
【図５】（ａ）〜（ｄ）は、本発明の第三実施形態の一例を表す図である。
【図６】図５図示の給電装置の斜視図である。
【図７】（ａ）、（ｂ）は、本発明の第四実施形態の一例を表す図である。
【図８】（ａ）〜（ｃ）は、本発明の第五実施形態の一例を表す図である。
【図９】（ａ）〜（ｃ）は、本発明の第六実施形態の一例を表す図である。
【図１０】（ａ）、（ｂ）は、本発明の第六実施形態の変形例を表す図である。
【図１１】（ａ）〜（ｄ）は、本発明の第七実施形態の一例を表す図である。
【発明を実施するための形態】
【００１０】
以下、添付図面を参照して、本発明の実施形態を説明する。
【００１１】
［第一実施形態］
図１（ａ）は本第一実施形態の撮像素子への給電装置１Ａ（以下、「撮像素子への給電装置」を単に「給電装置」という）の展開図である。本第一実施形態では、給電装置１Ａは、撮像素子組立体２と、２つの回路基板５、５とを備えている。撮像素子組立体２は、矩形状の撮像素子３が基板４に実装されているものである。回路基板５、５は、屈曲及び／又は湾曲可能で撮像素子３への給電を行う。なお、回路基板５、５を介して撮像素子３に対する給電が行われるだけでなく、撮像素子３への信号出力や、他デバイスへの信号入力も行われる。
【００１２】
撮像素子組立体２は、本第一実施形態の給電装置１Ａが採用されるカメラ装置、等における収容体（不図示）に収容されて、この収容体に対して、撮像素子３の面内方向への直進運動及び／又は撮像素子３の受光面に対する法線方向回りの回転運動をする。ここで、撮像素子３の面内方向とは、撮像素子３の受光面が伸びている方向である。
【００１３】
本第一実施形態では、基板４は撮像素子３の形状に対応している矩形状である。撮像素子組立体２は、撮像素子３の各辺３ａ、３ｂ、３ｃ、３ｄに対応した各辺２ａ、２ｂ、２ｃ、２ｄを有する。
【００１４】
回路基板５、５は、その一端が撮像素子組立体２に接続され、他端が、前記収容体に配備される給電部（不図示）に接続されている。前記給電部から給電を受けた回路基板５、５を介して撮像素子組立体２に実装されている撮像素子３に対する給電が行われる。
【００１５】
回路基板５、５は、主としてＦＰＣからなり、柔軟性を有するので屈曲及び／又は湾曲可能である。また、回路基板５、５は、所定の厚さと、幅を有し、撮像素子組立体２に接続されている一端と前記給電部に接続されている他端との間を延伸している。
【００１６】
本第一実施形態では、回路基板５、５は、それぞれ、撮像素子組立体２に接続される第一接続部６、６と、前記第一接続部６、６から延伸している連結部８、８と、連結部８、８の延伸方向の一方の端部に設けられている第二接続部７、７とを備えている。
【００１７】
本第一実施形態では、回路基板５、５は、いずれも、撮像素子３の一組の対向する二辺３ａ、３ｃが存在している側で、撮像素子組立体２の一組の対向する二辺２ａ、２ｃに接続されている。２つの回路基板５、５は、撮像素子組立体２に対して、対称に設けられることが望ましい。
【００１８】
本第一実施形態では、第一接続部６、６は、撮像素子組立体２の一組の対向する二辺２ａ、２ｃにそれぞれ接続されている。例えば、撮像素子組立体２の一組の対向する二辺２ａ、２ｃの中央にそれぞれ第一接続部６、６が接続される構造を採用できる。
【００１９】
２つの回路基板５、５はいずれも第一接続部６と連結部８の境界部９、９で撮像素子組立体２の高さ方向に屈曲して（折り曲げて）いる。連結部８、８は、第二接続部７、７に向けて、撮像素子３の面内方向に延伸している。撮像素子組立体２の高さ方向の厚みは、連結部８、８の幅の大きさによって規定される。境界部９、９は、それぞれ連結部８、８が延伸する方向に平行に設けられている。
【００２０】
次に、本第一実施形態の給電装置１Ａの、展開図から立体的な形状に仕上げるまでの説明をする。以下、２つの回路基板５、５、第一接続部６、６、第二接続部７、７、連結部８、８、境界部９、９、境界部１０、１０は同じものなので、それぞれ１つのみを用いて説明することがある。
【００２１】
図１（ｂ）は、図１（ａ）図示の状態から境界部９で連結部８を撮像素子組立体２の上側（紙面手前）方向に向けて折り曲げることで、回路基板５を撮像素子組立体２の高さ方向に屈曲させた状態を表すものである。図１（ｂ）では、第二接続部７と連結部８の境界部１０において、第二接続部７を連結部８に対して折り曲げ、第一接続部６と第二接続部７とが同一の平面上に位置するようにしている。
【００２２】
図１（ｃ）は、図１（ｂ）図示の状態で、連結部８を延伸方向と交差する方向に一回屈曲させる状態を説明するものである。図１（ｄ）は、図１（ｃ）の状態で、連結部８を延伸方向と交差する方向に更にもう一回屈曲させる状態を説明するものである。ここでは、連結部８を屈曲させているが、湾曲させても構わない。
【００２３】
図２は、図１（ａ）の展開図の状態から、図１（ｂ）、（ｃ）、（ｄ）の順で連結部８を屈曲させ、第二接続部７を撮像素子組立体２の下側の位置に折り込んだ状態の斜視図である。このとき、第二接続部７が、撮像素子組立体２の撮像素子３が実装されている面の反対側の面に対向して設けられ、第二接続部７は、カメラ装置等において撮像素子組立体２を収容している収容体に配備されている給電部に接続される。第二接続部７を介して撮像素子組立体２への給電が行われる。
【００２４】
本第一実施形態では、回路基板５は、境界部９で撮像素子組立体２の高さ方向に屈曲された後、連結部８は撮像素子組立体２の面内方向にのみ延伸する。そのため、撮像素子組立体２の高さ方向に相当する給電装置１Ａの高さ方向の厚みを小さくすることができる。また、第二接続部７を撮像素子組立体２の下側に折り込んでいるので、給電装置１Ａの幅方向の寸法も小さくすることができる。
【００２５】
また、連結部８の長さを十分に長くとることができる。そこで、撮像素子組立体２が移動する際、回路基板５のばね性の影響を小さくできる。これによって、撮像素子組立体２に実装されている撮像素子３の前記収容体に対する移動を正確に行うことが可能になる。
【００２６】
本第一実施形態では、図１（ａ）図示の状態から境界部９で連結部８を撮像素子組立体２の上側方向に向けて折り曲げることで、回路基板５を撮像素子組立体２の高さ方向に屈曲させていた。これに替えて、図１（ａ）図示の状態から境界部９で連結部８を撮像素子組立体２の下側方向に向けて折り曲げることで、回路基板５を撮像素子組立体２の高さ方向に屈曲させるようにすることもできる。
【００２７】
なお、本第一実施形態では図示を省略しているが、連結部８に、その延伸する方向に切込みを設ける形態にすることができる。このようにすれば、回路基板５のばね性の影響をより小さくでき、撮像素子組立体２に実装されている撮像素子３の前記収容体に対する移動をより正確に行うことができるようになる。
【００２８】
また、本第一実施形態において、上述したものと同一構成、構造の回路基板５、５が更に２つ備えられている形態にすることもできる。この場合、追加の２つの回路基板５、５は、撮像素子３の他の一組の対向する二辺３ｂ、３ｄが存在している側で、撮像素子組立体２の他の一組の対向する二辺２ｂ、２ｄにそれぞれ接続されている構造になる。また、本第一実施形態において、第一接続部６は、各辺の中央にそれぞれ接続されているが、中央でなくても構わない。
【００２９】
また、２つ又は４つの回路基板５は、撮像素子組立体２の撮像素子３が設けられた側と反対側で１つの部品として一体に形成されても構わない。
【００３０】
［第二実施形態］
図３、図４を用いて本第二実施形態を説明する。第一実施形態と共通する構成、構造部分には共通する符号を付してその説明を省略する。図３（ａ）が図１（ａ）に対応している展開図である。図３（ｂ）は図１（ｂ）に対応し、図３（ｃ）は図１（ｃ）と（ｄ）に対応している。
【００３１】
本第二実施形態では、第一実施形態と同じく、図３（ｂ）と（ｃ）に示すように、回路基板５は、境界部９で撮像素子組立体２の上側（紙面手前）方向に向けて折り曲げられて、撮像素子組立体２の高さ方向に屈曲している。境界部９は、連結部８の延伸方向と平行に設けられている。一方の連結部８は、撮像素子組立体２の辺２ｄに沿って延伸し、撮像素子組立体２の辺２ｄと辺２ｃとの角部に対応する箇所で延伸方向と直交する方向に折り曲げられ、辺２ｃに沿って延伸している。また、他方の連結部８は、撮像素子組立体２の辺２ｂに沿って延伸し、撮像素子組立体２の辺２ｂと辺２ａとの角部に対応する箇所で延伸方向と直交する方向に折り曲げられ、辺２ａに沿って延伸している。
【００３２】
第二接続部７は、図３（ｃ）及び図４図示のように、撮像素子組立体２の下側の位置に折り込まれることなく、連結部８と面一に形成されている。このとき、第二接続部７は、撮像素子組立体２に対して外側から囲む内側を向いた面に向いて、収容体に配備されている給電部に接続される。
【００３３】
即ち、本第二実施形態では、第二接続部７は、第一接続部６、６が接続される辺２ｂ、２ｄと隣接する辺２ａ、２ｃに対応する位置に設けられている。そのとき、連結部８、８の長さをより長く確保できるように、一方の第一接続部６と第二接続部７の組は辺２ｂと辺２ａが形成する角部から、他方の第一接続部６と第二接続部７の組は辺２ｄと辺２ｃが形成する角部から、それぞれ、離れた位置に設けられている。
【００３４】
［第三実施形態］
図５、図６を用いて本第三実施形態を説明する。本第三実施形態は、第一実施形態と第二実施形態を組み合わせたような構成であり、第一実施形態と共通する構成、構造部分には共通する符号を付してその説明を省略する。図５（ａ）が図１（ａ）に対応している展開図である。図５（ｂ）は図１（ｂ）に対応していて、図５（ｃ）、（ｄ）が図１（ｃ）、（ｄ）に対応する。
【００３５】
本第三実施形態は、第一実施形態と同じく、境界部９で連結部８を撮像素子組立体２の上側方向に向けて折り曲げることで、回路基板５を撮像素子組立体２の高さ方向に屈曲させている。境界部９は、連結部８の延伸方向と平行に設けられている。
【００３６】
図５（ｃ）に示すように、撮像素子組立体２の辺２ｄで接続された一方の回路基板５は、辺２ｄに沿って延伸している連結部８を、辺２ｄと辺２ａとの角部に対応する箇所でほぼ１８０度に折り曲げている。さらに、一方の回路基板５は、辺２ｄに沿って延伸している連結部８を、辺２ｄと辺２ｃとの角部に対応する箇所で９０度に折り曲げている。
【００３７】
また、撮像素子組立体２の辺２ｂで接続された他方の回路基板５は、辺２ｂに沿って延伸している連結部８を、辺２ｂと辺２ｃとの角部に対応する箇所でほぼ１８０度に折り曲げている。さらに、他方の回路基板５は、辺２ｂに沿って延伸している連結部８を、辺２ｂと辺２ａとの角部に対応する箇所で９０度に折り曲げている。
【００３８】
さらに、図５（ｄ）図示のように、一方の回路基板５は、辺２ｃに沿って延伸している連結部８を、辺２ｃと辺２ｂとの角部に対応する箇所、辺２ｃと辺２ｄとの角部に対応する箇所でそれぞれほぼ１８０度に折り曲げている。また、他方の回路基板５は、辺２ａに沿って延伸している連結部８を、辺２ａと辺２ｄとの角部に対応する箇所、辺２ａと辺２ｂとの角部に対応する箇所でそれぞれほぼ１８０度に折り曲げている。
【００３９】
そして、図５（ｄ）及び図６図示のように、第二接続部７は、第二実施形態と同様に、連結部８と面一に形成されている。
【００４０】
本第三実施形態では、第一実施形態及び第二実施形態よりもさらに連結部８の長さを長くできると共に第二実施形態と同等の小ささを有する給電装置１Ａとなっている。
【００４１】
［第四実施形態］
図７を用いて本第四実施形態を説明する。第一実施形態と共通する構成、構造部分には共通する符号を付してその説明を省略する。
【００４２】
図７（ａ）、（ｂ）は、それぞれ第一実施形態の図１（ｄ）、即ち完成している状態に対応している図である。
【００４３】
図７（ａ）では、境界部９で連結部８を撮像素子組立体２の上側（紙面手前）方向に向けて折り曲げることで、回路基板５を撮像素子組立体２の高さ方向に屈曲させ、連結部８をその延伸方向と交差する方向へ湾曲させている。また、第二接続部７と連結部８の境界部１０において、第二接続部７を連結部８に対して折り曲げて外側に向くようにして、第一接続部６と第二接続部７とが同一の平面上に位置するようにしている。
【００４４】
図７（ｂ）では、境界部９で連結部８を撮像素子組立体２の上側方向に向けて折り曲げることで、回路基板５を撮像素子組立体２の高さ方向に屈曲させ、連結部８をその延伸方向と交差する方向へ二回屈曲させている。また、境界部１０において、第二接続部７を連結部８に対して折り曲げて外側に向くようにして、第一接続部６と第二接続部７とが同一の平面上に位置するようにしている。
【００４５】
このとき、第二接続部７は、撮像素子組立体２の外側に位置している撮像素子組立体２と平行な面に向くことになる。例えば、上述した収容体において、撮像素子組立体２の辺２ａ、２ｃに対応するこの収容体の内壁面から内側に向けて突出する突出部を形成し、この突出部の上側又は下側を向いた撮像素子組立体２と平行な面に第二接続部７を取り付けてもよい。第二接続部７はこの面に設けられる給電部に接続できるので、製造するのが容易である。
【００４６】
［第五実施形態］
図８を用いて本第五実施形態を説明する。第一実施形態と共通する構成、構造部分には共通する符号を付してその説明を省略する。
【００４７】
図８（ａ）は、第一実施形態の図１（ａ）に対応している展開図である。図８（ｂ）が図１（ｂ）に対応し、図８（ｃ）が図１（ｄ）に対応する。
【００４８】
本第五実施形態では、連結部８は、第一接続部６と連結部８の境界部９が連結部８の延伸方向の中間に位置するように延伸している。境界部９は、連結部８の延伸方向に平行に設けられている。そして、連結部８の延伸方向の両端にそれぞれ第二接続部７、７が配備されている。
【００４９】
図８（ｂ）に示すように、図８（ａ）図示の状態から境界部９で連結部８を撮像素子組立体２の上側（紙面手前）方向に向けて折り曲げることで、回路基板５を撮像素子組立体２の高さ方向に屈曲させる。そして、図８（ｃ）に示すように、境界部９から左右に延伸するそれぞれの連結部８、８をその延伸方向と交差する方向へ湾曲させる。さらに、境界部１０において第二接続部７を連結部８に対して折り曲げて２つの第二接続部７を合わせる。２つの第二接続部７は離して設けてもよい。第二接続部７は、第一接続部６と第二接続部７とが同一の平面上に位置するようにして、第一実施形態のように内側に向けて折り込んでもよいし、第四実施形態のように外側に向けて折り込んでもよい。また、第二実施形態のように、第二接続部７は境界部１０で折らなくてもよい。
【００５０】
本第五実施形態の給電装置１Ｂでは、１つの回路基板５は撮像素子組立体２に対して線対称に設けられるので、撮像素子組立体２に均等に力が働く。そのため、撮像素子組立体２を前記面内方向に移動させる際、撮像素子組立体２に対して前記面内方向の移動に不必要な回転力が加わりにくい。したがって、撮像素子組立体２に実装されている撮像素子３の前記収容体に対する移動をより正確に行うことができる。
【００５１】
［第六実施形態］
図９を用いて本第六実施形態を説明する。実施形態１と共通する構成、構造部分には共通する符号を付してその説明を省略する。
【００５２】
図９（ａ）は、第一実施形態の図１（ａ）に対応している展開図である。図９（ｂ）は、回路基板５を折り曲げた給電装置１Ｃを図９（ａ）と同じ方向から見た図、図９（ｃ）は図９（ｂ）を側面から見た図である。本第六実施形態では、回路基板５、５は、撮像素子３の一組の対向する二辺３ａ、３ｃに対応する撮像素子組立体２の辺２ａ、２ｃにそれぞれ接続されている。連結部８、８は、辺２ａ、２ｃと直交する方向に延伸している。境界部９は、連結部８が延伸する方向と直角に設けられている。
【００５３】
図９（ｂ）、（ｃ）図示のように、第一接続部６と連結部８との境界部９で連結部８を撮像素子組立体２の上側方向に向けて折り曲げることで、回路基板５を撮像素子組立体２の高さ方向に屈曲させる。更に、連結部８の延伸方向と交差する方向に、連結部８を撮像素子組立体２の下側方向に向けて折り曲げることで回路基板５を撮像素子組立体２の高さ方向に屈曲させる。更に、再度、連結部８を撮像素子組立体２の上側方向に向けて折り曲げる。これによって、回路基板５を撮像素子組立体２の高さ方向に屈曲させている。
【００５４】
更に、第二接続部７と連結部８の境界部１０において、第二接続部７を連結部８に対して折り曲げ、第一接続部６と第二接続部７とが同一の平面上に位置するようにした。
【００５５】
本第六実施形態では、連結部８は、撮像素子組立体２の高さ方向に屈曲あるいは、湾曲している。この場合、屈曲あるいは湾曲させることで形成される連結部８の撮像素子組立体２における高さ方向の寸法が、連結部８の幅以下であるようにすることが望ましい。これによって、給電装置１Ｃの撮像素子組立体２の高さ方向の厚みをより小さくすることができる。
【００５６】
図１０の給電装置１Ｃは、図９の給電装置１Ｃにおいて、さらに連結部８の延伸する方向に切込み１１を設けたものである。切込み１１は幅を持たせてもよい。前述のように、回路基板５のばね性の影響をより小さくでき、撮像素子組立体２に実装されている撮像素子３の移動をより正確に行うことができるようになる。
【００５７】
［第七実施形態］
図１１を用いて本第七実施形態を説明する。第一実施形態と共通する構成、構造部分には共通する符号を付してその説明を省略する。本第七実施形態は、第五実施形態と第六実施形態を組み合わせたような形態である。
【００５８】
図１１（ａ）は、第一実施形態の図１（ａ）に対応している展開図である。図１１（ｂ）は、図１（ｂ）に対応しており、図１１（ｃ）は図１（ｄ）に対応し、図１１（ｄ）は、図１１（ｃ）を側面から見た図である。
【００５９】
本第七実施形態では、境界部９は、第一接続部６の幅方向の両端に設けられている。連結部８は、対応する境界部９と交差する方向にそれぞれ延伸する。連結部８の第一接続部６とは反対側に第二接続部７が設けられる。境界部１０は、境界部９と平行に設けられている
図１１（ｂ）に示すように、境界部９で連結部８を撮像素子組立体２の下側方向に向けて折り曲げることで、回路基板５を撮像素子組立体２の高さ方向に屈曲させる。更に、図１１（ｃ）及び図１１（ｄ）に示すように、連結部８を湾曲させている。そして、第二接続部７を外側に向けて屈曲させている。
【００６０】
本第七実施形態では、連結部８は、撮像素子組立体２の高さ方向に湾曲している。この場合、第六実施形態と同様に、湾曲させることで形成される連結部８の撮像素子組立体２における高さ方向の寸法が、連結部８の幅以下であるようにすることが望ましい。これによって、給電装置１Ｄの撮像素子組立体２の高さ方向の厚みをより小さくすることができる。
【００６１】
［カメラ装置の実施形態］
本実施形態のカメラ装置には、上述した第一から第七実施形態の撮像素子への給電装置１Ａ〜１Ｄが採用されている。
【００６２】
給電装置１Ａ〜１Ｄは、矩形状の撮像素子３が基板４に実装されている撮像素子組立体２と、屈曲及び／又は湾曲可能で撮像素子３への給電を行う回路基板５とを備えている。回路基板５は、撮像素子組立体２に接続される第一接続部６と、第一接続部６から延伸している連結部８と、連結部８の延伸方向の一方の端部に設けられている第二接続部７とを備えている。第二接続部７は、第一から第七実施形態の給電装置１Ａ〜１Ｄが採用されている本実施形態のカメラ装置における給電部に接続される。
【００６３】
ここで、回路基板５は、第一接続部６と連結部８の境界部９で撮像素子組立体２の高さ方向に屈曲し、撮像素子３の面内方向に延伸し、当該延伸方向に交差する方向へ屈曲又は湾曲する構造になっている。
【００６４】
このため、撮像素子組立体２の高さ方向における給電装置１Ａ〜１Ｄの厚みは、連結部８の幅によって規定される大きさに収まっている。
【００６５】
そこで、この給電装置１Ａ〜１Ｄが採用されているカメラ装置の厚さを比較的小さくすることが可能になり、厚さが薄いカメラ装置を提供することができる。
【００６６】
［電子機器の実施形態］
本実施形態の電子機器は、上述した実施形態のカメラ装置を備えている。
【００６７】
そこで、スマートフォン等の電子機器において厚さが薄いものを提供することができる。
【００６８】
以上、添付図面を参照して本発明の好ましい実施形態を説明したが、本発明はこれらの実施形態に限定されるものではなく、特許請求の範囲の記載から把握される技術的範囲において種々に変更可能である。
【符号の説明】
【００６９】
１Ａ、１Ｂ、１Ｃ、１Ｄ  撮像素子への給電装置
２  撮像素子組立体
３  撮像素子
４  基板
５  回路基板
６  第一接続部
７  第二接続部
８  連結部
９  第一接続部と連結部の境界部
１０  連結部と第二接続部の境界部
１１  切込み
【図１】
2020060727.tif 000003
【図２】
2020060727.tif 000004
【図３】
2020060727.tif 000005
【図４】
2020060727.tif 000006
【図５】
2020060727.tif 000007
【図６】
2020060727.tif 000008
【図７】
2020060727.tif 000009
【図８】
2020060727.tif 000010
【図９】
2020060727.tif 000011
【図１０】
2020060727.tif 000012
【図１１】
2020060727.tif 000013